(57)【特許請求の範囲】
【請求項１】
ハウジングに支承されるすべり軸受の外周面と内周面とを貫通する油穴を備え、該油穴の外周面側から内周面側へ潤滑油が流通されるようになっているすべり軸受において、
上記油孔は、すべり軸受の軸方向が長径となった楕円形状に形成されており、かつ内周面側の開口から外周面側の開口へ徐々に拡開するテーパ状に形成されて、上記油穴における外周面側の開口面積が、内周面側の開口面積よりも大きく設定されていることを特徴とするすべり軸受。
【請求項２】
上記油孔がテーパ状に拡開する角度は５〜３０度となっていることを特徴とする請求項１に記載のすべり軸受。
【発明の詳細な説明】
【技術分野】
【０００１】
本発明はすべり軸受に関し、より詳しくは、油穴を備えたすべり軸受に関する。
【背景技術】
【０００２】
従来、油穴を備えたすべり軸受は、周知である（例えば特許文献１）。この油穴は、平板状の軸受素材を半円筒状に湾曲させえた後、この湾曲させたすべり軸受素材にパンチやドリルで貫通孔を穿設することによって形成している。
そしてすべり軸受の外周面側から供給される潤滑油を上記油穴を介して内周面側に供給して、該内周面で軸支した回転軸に潤滑油を供給するようになっている。
【先行技術文献】
【特許文献】
【０００３】
【特許文献１】特開２００８−１５１２９７号公報
【発明の概要】
【発明が解決しようとする課題】
【０００４】
上記油穴は、供給油量を増大させて冷却効果を高めるためにはその穴径（流路面積）を大きくすることが望ましいが、穴径を大きくすると回転軸との摺動面積が小さくなって負荷能力が低下するので、望ましくない。
つまり従来、油穴によってすべり軸受の負荷能力を増大させることと冷却効果を高めることとはトレードオフの関係にあり、同時に両者を満足させることは困難であった。
本発明はそのような事情に鑑み、すべり軸受の負荷能力の増大と冷却効果の増大とを同時に達成することが可能なすべり軸受を提供するものである。
【課題を解決するための手段】
【０００５】
すなわち本発明は、ハウジングに支承されるすべり軸受の外周面と内周面とを貫通する油穴を備え、該油穴の外周面側から内周面側へ潤滑油が流通されるようになっているすべり軸受において、
上記油孔は、すべり軸受の軸方向が長径となった楕円形状に形成されており、かつ内周面側の開口から外周面側の開口へ徐々に拡開するテーパ状に形成されて、上記油穴における外周面側の開口面積が、内周面側の開口面積よりも大きく設定されていることを特徴とするものである。
【発明の効果】
【０００６】
上記構成によれば、油穴は内周面側の開口から外周面側の開口へ徐々に拡開するテーパ状となって外周面側の開口面積が内周面側の開口面積よりも大きくなっているので、外周面側の開口面積を内周面側の開口面積と同一とした従来の油穴に比較した場合には、潤滑油の供給油量を大きくすることができ、それによって冷却能力を増大させることができる。
他方、潤滑油の供給油量を従来品と同一とした場合には、内周面側の開口面積を従来品よりも小さくすることができるので、その分摺動面積を大きくすることができる。したがってこの場合には、冷却効果を従来品と同等に保ちながら、すべり軸受の負荷能力を増大させることができる。しかも、上記油孔は、すべり軸受の軸方向が長径となった楕円形状となっているので、油孔から流出する潤滑油はすべり軸受の軸方向の両端側に供給されやすくなり、その部分の負荷能力を増大させることができる。
このように上記構成によれば、従来品に比較して、供給油量と摺動面積とのいずれか一方又は双方の増大を図ることができ、したがってその設定の仕方によって、すべり軸受の負荷能力の増大と冷却効果の増大とを同時に達成することが可能となる。
【図面の簡単な説明】
【０００７】
【図１】本発明の実施例を示す側面図。
【図２】図１の平面図。
【図３】図２のＩＩＩ−ＩＩＩ線に沿う拡大断面図。
【発明を実施するための形態】
【０００８】
以下図示実施例について本発明を説明すると、図１、図２において、すべり軸受１は半円筒形状を有しており、図示しないが２つのすべり軸受１の両端部を互いにつき合わせて円筒形状とすることにより、その内周面１ａで、例えばクランクシャフト等の回転軸を軸支することができるようになっている。
上記すべり軸受１には油穴２を穿設してあり、この油穴２はすべり軸受１の内周面１ａと外周面１ｂとを貫通するように形成してある。
本実施例では、上記油穴２は、すべり軸受１の軸方向が長径となるような楕円状（図２参照）に形成してあり、かつ図３に示すように、内周面１ａ側の開口面積Ｓａよりも、外周面１ｂ側の開口面積Ｓｂが大きくなるように設定してある。
そのような加工は、例えば円錐状のドリルを用いて該ドリルを軸方向に移動させることによって形成することができる。このときの円錐状ドリルの円錐角は、つまり油穴２の拡開角度は５〜３０度の範囲が好ましく、それに伴なって、すべり軸受１の肉厚の大きさによるが、外周面１ｂ側の開口部の大きさは、楕円状の長径方向の寸法も短径方向（摺動方向）の寸法も、内周面１ａ側の開口部よりも０．１〜０．３ｍｍ程度大きくすることが望ましい。また上記楕円状の油穴２は、長径の大きさが短径の大きさに対して最大で１．５倍程度である。
【０００９】
上記すべり軸受１は、図３に示すようにハウジング３によって支承されており、このハウジング３に、上記油穴２に潤滑油を供給するための潤滑油通路４を形成してある。この潤滑油通路４は、通常、油穴２よりも大径に形成されており、それによって油穴２と潤滑油通路４との連続部に段部２ａが形成されることが多い。
なお、上記油穴２の内周面１ａ側の開口縁部と、外周面１ｂ側の開口縁部とのそれぞれに面取りが施してあるが、それらの面取りは図面上では省略して示してある。
【００１０】
上記構成において、潤滑油通路４から供給されてきた潤滑油は、油穴２を流通してすべり軸受１の内周面１ａに供給されるようになる。
この際、すべり軸受１の外周面１ｂ側の開口面積Ｓｂは、内周面１ａ側の開口面積Ｓａよりも大きくなっているので、その開口面積ＳａとＳｂとを同一に設定した従来品に比較して、すべり軸受１の内周面１ａへの供給油量を増大させることができる。
したがって、従来品に比較して供給油量を増大させることによって、冷却効果を高めることができる。そして内周面１ａ側の開口面積Ｓａは、従来品と同一であるので摺動面積が小さくなることが無く、したがってすべり軸受１の負荷能力の低下を防止することができる。
【００１１】
本実施例においては、従来品に比較してすべり軸受１の内周面１ａへの供給油量を増大させることができるようにしてあるが、仮にすべり軸受１の内周面１ａへの供給油量を従来品と同一とした場合には、内周面１ａ側の開口面積Ｓａを従来品よりも小さくすることができる。
この場合には、従来品に比較して摺動面積を大きくすることができるので、冷却効果を従来品と同等に保ちながら、すべり軸受１の負荷能力を増大させることができる。
このように本実施例においては、すべり軸受１の外周面１ｂ側の開口面積Ｓｂを内周面１ａ側の開口面積Ｓａよりも大きく設定しているので、それらの大きさを適宜に設定することにより、従来品に比較して、供給油量と摺動面積とのいずれか一方又は双方の増大を図ることができ、したがってその設定の仕方によって、すべり軸受の負荷能力の増大と冷却効果の増大とを同時に達成することが可能となる。
【００１２】
また本実施例においては、上記油穴２は、すべり軸受１の軸方向が長軸となるような楕円状に形成してあるので、図２の想像線で示す丸穴の油穴に比較して、該油穴２の長軸側の両端部はすべり軸受１の両側部１ｃに近接することになる。
これにより油穴２から流出する潤滑油は、図２の実線の矢印で示すように、丸穴の油穴から流出する想像線で示す潤滑油に比較して、すべり軸受１の両側部１ｃに供給され易くなる。
クランクシャフトのような回転軸の軸線は、すべり軸受１の内周面１ａに対して常に平行状態のまま回転しているわけではなく、僅かに傾いて回転されることが多く、この場合にはすべり軸受１の両側部１ｃに大きな負荷が加わることになる。しかるに本実施例の油穴２から流出する潤滑油は、すべり軸受１の両側部１ｃに供給され易くなっているので、その部分の負荷能力を増大させることができる。
【００１３】
さらに上述したように、油穴２と潤滑油通路４との連続部に段部２ａが形成されることが多いが、本実施例ではすべり軸受１の外周面１ｂ側の開口面積Ｓｂを内周面１ａ側の開口面積Ｓａよりも大きく設定しているので、図３の想像線で示す油穴のように両面積を同一に設定した場合に比較して、段部２ａの度合いを小さくすることができる。
その結果、潤滑油通路４から油穴２へ流入する潤滑油の流れを相対的に滑らかにして圧力損失を防止でき、それによっても油穴２からすべり軸受１の内周面１ａに供給される潤滑油の供給油量の増大を図ることができる。
【００１４】
なお、上記油穴２は、図示しないが、すべり軸受１の内周面１ａに円周方向に沿って形成した油溝に連通していても良い。
【符号の説明】
【００１５】
１  すべり軸受              １ａ  内周面
１ｂ  外周面                １ｃ  側部
２  油穴                    ２ａ  段部
３  ハウジング              ４  潤滑油通路
Ｓａ、Ｓｂ  開口面積
【図１】
0005828265.tif 000002
【図２】
0005828265.tif 000003
【図３】
0005828265.tif 000004